(57)【特許請求の範囲】
【請求項１】
複数の垂木と、
前記複数の垂木間に渡した中空材の中骨と、
を備えた簡易屋根の中骨の取付構造であって、
更に、前記中骨の端部に嵌め込まれて前記中骨と前記垂木とを固定するブラケットを備え、
前記ブラケットは、前記中骨の長手方向に弾性的に突出する突起部を有し、この突起部が前記垂木の側面に設けられた側孔に嵌合するものであって、
更に、前記ブラケットは、前記垂木に設けられた被係止部に係止される弾性脚部を備え、この弾性脚部が前記垂木の側面方向に前記ブラケットを付勢していることを特徴とする、簡易屋根の中骨の取付構造。
【請求項２】
前記ブラケットは、前記垂木の側面と弾性的に接する弾性鍔部を備え、この弾性鍔部が前記中骨の方向に自らを付勢していることを特徴とする、請求項１記載の簡易屋根の中骨の取付構造。
【請求項３】
前記被係止部は、前記垂木の側面下端から略水平方向に延出形成された受け部として設けられ、この受け部の上面に形成された溝部に前記弾性脚部が係止されていることを特徴とする、請求項１又は２記載の簡易屋根の中骨の取付構造。
【請求項４】
前記弾性脚部は、前記中骨から見て幅広方向に突出形成された２片の部材からなることを特徴とする、請求項１〜３のいずれかに記載の簡易屋根の中骨の取付構造。
【請求項５】
請求項１〜４のいずれかに記載の中骨の取付構造を備えたことを特徴とする、簡易屋根。
【発明の詳細な説明】
【技術分野】
【０００１】
本発明は、簡易屋根の中骨の取付構造、及び、それを備える簡易屋根に関する。
【背景技術】
【０００２】
従来、カーポートなどの簡易屋根が用いられており、こうした簡易屋根の中骨の取付構造として本出願人は特許文献１のような簡易屋根の中骨の取付構造を提案した。
【０００３】
この特許文献１には、２本の支柱の上端部に桁を掛け渡し、この桁と平行に垂木掛けを設け、この桁と垂木掛けとの間に複数の垂木を結合し、隣接する垂木の間にそれぞれ中骨を取付けて屋根組みを構成した簡易屋根が開示されており、更には、その中骨の取付構造方法として、中骨の長手方向両端部を中骨の長軸に対して直角に切断し、その両端部に中骨固定用ブラケットを予め嵌合固定し、その中骨固定用ブラケットは、中骨の長手方向に突出する弾性突起を有し、その弾性突起は垂木の所定位置に設けてある孔に弾力的に嵌入されて係止されることが開示されている。このような特許文献１記載の簡易屋根の中骨の取付構造によれば、中骨両端の加工の簡素化、固定方法の容易化、意匠性の向上などの効果を奏することができる。
【先行技術文献】
【特許文献】
【０００４】
【特許文献１】特開２００５−３１４９９４号公報
【発明の概要】
【発明が解決しようとする課題】
【０００５】
しかし、上記したような簡易屋根の中骨の取付構造においては、施工状態や加工の精度などの影響を受けることにより、垂木間の距離に微差を生じることがある。そして、垂木間の距離が設計よりも離れてしまった場合、垂木の間に設けられた中骨がしっかりと係止されない虞があり、強風などにより中骨が回転したり、抜け落ちたりする虞があった。
【０００６】
なお、特許文献１においては、ブラケットの脚部を小突縁で受け止めることにより、中骨の回転を防止する構造は開示されているものの、垂木間の距離が離れてしまった場合には脚部が小突縁から抜けてしまうこととなるため、垂木間の距離の微差に対応することが困難であった。
【０００７】
そこで、本発明は、特許文献１に記載した簡易屋根の効果、すなわち、中骨両端の加工の簡素化、固定方法の容易化、意匠性の向上などの効果を奏するとともに、中骨の回転や落下を確実に防止できる簡易屋根を提供することを課題とする。
【課題を解決するための手段】
【０００８】
本発明は、上記した課題を解決するためになされたものであり、以下を特徴とする。
【０００９】
（請求項１）
請求項１に記載の発明は、以下を特徴とする。
【００１０】
すなわち、請求項１に記載の簡易屋根の中骨の取付構造は、複数の垂木と、前記複数の垂木間に渡した中空材の中骨と、を備えた簡易屋根であって、更に、前記中骨の端部に嵌め込まれて前記中骨と前記垂木とを固定するブラケットを備え、前記ブラケットは、前記中骨の長手方向に弾性的に突出する突起部を有し、この突起部が前記垂木の側面に設けられた側孔に嵌合するものであって、更に、前記ブラケットは、前記垂木に設けられた被係止部に係止される弾性脚部を備え、この弾性脚部が前記垂木の側面方向に前記ブラケットを付勢していることを特徴とする。
【００１１】
（請求項２）
請求項２に記載の発明は、上記した請求項１に記載の発明の特徴点に加え、以下を特徴とする。
【００１２】
すなわち、請求項２に記載の簡易屋根の中骨の取付構造は、前記ブラケットは、前記垂木の側面と弾性的に接する弾性鍔部を備え、この弾性鍔部が前記中骨の方向に自らを付勢していることを特徴とする。
【００１３】
（請求項３）
請求項３に記載の発明は、上記した請求項１又は２に記載の発明の特徴点に加え、以下を特徴とする。
【００１４】
すなわち、請求項３に記載の簡易屋根の中骨の取付構造は、前記被係止部は、前記垂木の側面下端から略水平方向に延出形成された受け部として設けられ、この受け部の上面に形成された溝部に前記弾性脚部が係止されていることを特徴とする。
【００１５】
（請求項４）
請求項４に記載の発明は、上記した請求項１〜３のいずれかに記載の発明の特徴点に加え、以下を特徴とする。
【００１６】
すなわち、請求項４に記載の簡易屋根の中骨の取付構造は、前記弾性脚部は、前記中骨から見て幅広方向に突出形成された２片の部材からなることを特徴とする。
【００１７】
（請求項５）
請求項５に記載の簡易屋根は、上記した請求項１〜４のいずれかに記載の中骨の取付構造を備えたことを特徴とする。
【発明の効果】
【００１８】
請求項１に記載の発明は上記の通りであり、中空材の中骨の端部に嵌め込まれて中骨と垂木とを固定するブラケットを設けたため、中骨両端に固定のための加工を施す必要がなく、加工を簡素化することができる。
【００１９】
また、中骨の取付は、ブラケットの突起部を垂木の側面に設けられた側孔に嵌合するとともに、ブラケットの弾性脚部を垂木に設けられた被係止部に係止するだけで良く、ビスなどを使用することなく容易に行うことができる。
【００２０】
そして、ブラケットに前記垂木に設けられた被係止部に係止される弾性脚部を設け、この弾性脚部が前記垂木の側面方向に前記ブラケットを付勢するようにしたため、ブラケット自身が垂木の側面方向へ圧接されることとなり、中骨の回転や落下を確実に防止することができる。
【００２１】
また、請求項２に記載の発明によれば、ブラケットが前記垂木の側面と弾性的に接する弾性鍔部を備えており、この弾性鍔部が前記中骨の方向に自らを付勢しているため、弾性脚部と弾性鍔部とでブラケットを突っ張る構造とすることができ、更に強力に中骨の回転や落下を確実に防止することができる。
【００２２】
また、請求項３に記載の発明によれば、前記被係止部は、前記垂木の側面下端から略水平方向に延出形成された受け部として設けられ、この受け部の上面に形成された溝部に前記弾性脚部が係止されているため、簡易屋根の下側からブラケット及びその取付構造が見えないようになっており、外観が簡素化されて意匠性の良い簡易屋根を提供できる。
【００２３】
また、請求項４に記載の発明によれば、前記弾性脚部は、前記中骨から見て幅広方向に突出形成された２片の部材からなるため、中骨よりも幅広の脚部で中骨を支えることができ、太い中骨を用いなくても中骨の回転や落下を確実に防止することができる。
【００２４】
また、請求項５に記載の発明によれば、上記したような点を特徴とする中骨の取付構造を備えた簡易屋根を提供できる。
【図面の簡単な説明】
【００２５】
【図１】本発明の実施の形態であって、簡易屋根の全体斜視図である。
【図２】本発明の実施の形態であって、簡易屋根の中骨の取付構造を示す一部拡大斜視図である。
【図３】本発明の実施の形態であって、ブラケットの（ａ）正面図（ｂ）側面図である。
【図４】本発明の実施の形態であって、ブラケットの正面斜視図である。
【図５】本発明の実施の形態であって、ブラケットの背面斜視図である。
【図６】本発明の実施の形態であって、ブラケットの中骨への取付方法を示す説明図である。
【図７】本発明の実施の形態であって、ブラケット及び中骨の垂木への取付方法を示す説明図である。
【図８】本発明の実施の形態であって、ブラケット及び中骨の垂木への別の取付方法を示す説明図である。
【図９】本発明の実施の形態であって、中骨が垂木に取り付けられた状態を示す（ａ）平面図（ｂ）側面断面図である。
【図１０】本発明の実施の形態であって、図９（ｂ）におけるブラケット付近の部分拡大図である。
【発明を実施するための形態】
【００２６】
本発明の実施形態について、図を参照しながら説明する。
【００２７】
（簡易屋根１０）
図１に示すように、本実施形態に係る簡易屋根１０は、間隔をおいて立設された２本の支柱１１の上端部に桁１２を掛け渡した構造となっており、この桁１２により屋根の荷重を支えるようになっている。
【００２８】
そして、図１に示すように、桁１２と対向する位置には、桁１２と平行に垂木掛け１３が設けられており、この垂木掛け１３と桁１２との間に４本の垂木２０が結合されている。この４本の垂木２０の間には、隣接する垂木２０の間それぞれに３本の中骨３０が渡されている。
【００２９】
以上のような構成により本実施形態に係る簡易屋根１０の屋根組みが構成されており、この屋根組みにアクリル樹脂板などで形成されたパネル１４を嵌め込むことにより、簡易屋根１０が構成される。
【００３０】
ところで、上記した垂木２０の間に設けられた中骨３０は、図２に示すように、それぞれの端がブラケット４０を介して垂木２０に固定されている。
【００３１】
（垂木２０）
垂木２０は、図１に示すように、桁１２に対して直角に固定され、略水平方向に延びて屋根組みを構成している。
【００３２】
この垂木２０は、図２に示すように、断面略四角形状の柱状の中空材であり、側面２１にはブラケット４０を嵌合させるための側孔２２（後述）が設けられている。また、側面２１の下端には、略水平方向に延出形成された受け部２３が設けられており、この受け部２３の上面に形成された溝部２６にブラケット４０の弾性脚部４７（後述）が係止可能になっている。
【００３３】
この受け部２３は、図１０が示すように、垂木２０の側面２１の下端から水平方向に突出し、垂木２０の長手方向全長に渡って形成される突縁２５と、この突縁２５の端部において垂直上方に延びる立設部２７と、を備え、この突縁２５及び立設部２７で溝部２６を形成しているものである。また、この溝部２６の入り口付近の垂木２０の側面２１には、小突縁２４が水平方向に突出形成されている。この小突縁２４も、垂木２０の長手方向全長に渡って形成されている。
【００３４】
なお、本説明においては、両側に中骨３０を取り付けた垂木２０を例に説明しているが、片側に中骨３０を取り付ける垂木２０においては、中骨３０を取り付ける側の側面２１にのみ側孔２２や受け部２３を形成すれば良い。
【００３５】
（中骨３０）
中骨３０は、既に説明したように、隣接する垂木２０の間に渡される部材であり、図２に示すように、断面略四角形状の柱状の中空材である。この中骨３０は、上面にクッション材を嵌合するためのあり溝３２が設けられており、このクッション材により、パネル１４の下面を受けるようになっている。
【００３６】
この中骨３０は、隣接する垂木２０間の距離とほぼ等しい長さに形成されており、その長手方向両端部は、ブラケット４０を嵌め込み可能なように開口部３１を形成している。このため、この開口部３１には、後述するブラケット４０の挿入部４１が挿入され、このブラケット４０を介して中骨３０と垂木２０とが固定されるようになっている。
【００３７】
（ブラケット４０）
ブラケット４０は合成樹脂で成形され、既に説明したように、中骨３０の端部の開口部３１に嵌め込まれて中骨３０と垂木２０とを固定するためのものである。
【００３８】
このブラケット４０は、図３〜５に示すように、中骨３０への挿入端側の挿入部４１と、この挿入部４１とは逆側の端面に形成された鍔部４２と、この鍔部４２の下方両側から斜め前方に延出する弾性鍔部４６と、この弾性鍔部４６の下端から斜め下方へ突出形成された弾性脚部４７と、を備えている。
【００３９】
（ブラケット４０の挿入部４１）
挿入部４１は、図５に示すように、側面が切欠かれた中空四角柱状となっており、この挿入部４１の外周の距離は、ほぼ中骨３０の中空部分の内周距離と等しくなるように形成されている。このため、この挿入部４１を中骨３０の開口部３１に挿入すると、中骨３０の中空部分に緊密に嵌合されるようになっている。なお、切欠きが設けられていることにより、この挿入部４１は、中骨３０の開口部３１への挿入時には内側に弾性変形するようになっており、これにより、緊密な嵌合にもかかわらず、挿入部４１を挿入可能となっている。
【００４０】
（ブラケット４０の鍔部４２）
ブラケット４０の鍔部４２は、図３及び４に示すように、ブラケット４０の端縁にそってフランジ状に周設された額縁部４３と、この額縁部４３の上辺部分から下方に突設された支持板４５と、この支持板４５の端部に形成された突起部４４と、を備えている。
【００４１】
突起部４４は、垂木２０の側面２１に設けられた側孔２２に嵌合するものであり、額縁部４３の略中心部分において、額縁部４３の表面よりも前方に突出するように形成されている。このため、挿入部４１を中骨３０に嵌め込んだときに、中骨３０の長手方向に突出するようになっている。しかしながら、この突起部４４は、支持板４５によって弾性的に支持されているため、額縁部４３に対して弾性を有するようになっており、すなわち、額縁部４３に対して出没可能に形成されている。このため、額縁部４３と垂木２０の側面２１との距離がほとんどない場合でも、突起部４４が出没動作をすることにより、この突起部４４を垂木２０の側面２１の側孔２２に嵌め込むことができるようになっている。
【００４２】
（ブラケット４０の弾性鍔部４６）
ブラケット４０の弾性鍔部４６は、図３〜５に示すように、垂木２０の側面２１と弾性的に接する部分であり、これにより、中骨３０の方向に自らを付勢するためのものである。すなわち、この弾性鍔部４６は、額縁部４３の両側に張り出すように形成されており、やや前方に延びているため、前方に設けられた垂木２０の側面２１と接している。そして、この弾性鍔部４６は弾性変形可能に形成されており、この弾性鍔部４６は、垂木２０の側面２１に圧接しているため、垂木２０の側面２１に押圧されて後方へ弾性変形するようになっている。このため、弾性鍔部４６は、弾性変形したときの反発力により中骨３０の方向に自らを付勢するようになっている。
【００４３】
（ブラケット４０の弾性脚部４７）
ブラケット４０の弾性脚部４７は、垂木２０に設けられた受け部２３に係止するためのものであり、図３〜５に示すように、弾性鍔部４６の下端から斜め下方へ突出形成された２片の板状部材として、額縁部４３の両側に張り出すように設けられている。このため、ブラケット４０を中骨３０に取り付けたときに、中骨３０から見て幅広方向に突出形成されるようになっている。
【００４４】
このブラケット４０の弾性脚部４７は、図１０が示すように、弾性鍔部４６の下端から水平方向内側に延びる戴置部４８と、この戴置部４８の端から斜め下方へ延びる突張部４９と、を備えている。
【００４５】
このブラケット４０の弾性脚部４７は、後述するように、弾性変形したときの反発力により垂木２０の方向に自らを付勢するようになっているものである。
【００４６】
（中骨３０の取付方法）
次に、図６〜１０を参照しつつ、垂木２０への中骨３０の取付方法について説明する。
【００４７】
垂木２０へ中骨３０を取り付ける場合には、まず、図６に示すように、中骨３０の両端にブラケット４０を取り付ける。すなわち、中骨３０端部の開口部３１に、ブラケット４０の挿入部４１を嵌合させる。このとき、ブラケット４０の挿入部４１のすべてが中骨３０の内部に挿入され、言い換えると、鍔部４２のみが露出するように挿入される。
【００４８】
中骨３０の両端にブラケット４０を取り付けたら、次に、図７に示すように、中骨３０を垂木２０に取り付ける。このとき、中骨３０両端のブラケット４０が垂木２０の側面２１に当接するように取り付けられ、後述するように、ブラケット４０の突起部４４が垂木２０の側孔２２に嵌合し、ブラケット４０の弾性脚部４７が垂木２０の受け部２３に係止されるようになっている。
【００４９】
このとき、図７に示すように、上から中骨３０を取り付けることとしても良いが、例えば垂木２０の上面に既にパネル１４が設置されている場合などは、上から中骨３０を取り付けることができない場合がある。また、安全上の理由から、上から中骨３０を取り付けることが適さない場合がある。このような場合には、下から中骨３０を取り付けることとしても良い。すなわち、中骨３０を垂木２０に対して斜めにした状態で、下から中骨３０を差し込んで、隣接する２つの垂木２０の間に橋架する。これにより、隣接する２つの垂木２０の受け部２３に、中骨３０の両端のブラケット４０がそれぞれ載置された状態となる。この状態で、図８に示すように、ブラケット４０の突起部４４が垂木２０の側孔２２に嵌合する位置にまで中骨３０をスライドさせ、中骨３０を取り付けることとしても良い。この中骨３０のスライド動作は、後述するように、ブラケット４０の弾性脚部４７が垂木２０の側面２１の溝部２６に入り込んでいることにより、ブラケット４０が溝部２６に沿って摺動可能となっており、これにより容易に実現可能となっているものである。
【００５０】
図９は、上記のようにして垂木２０へ中骨３０を取り付けた後の状態を示す図である。この図が示すように、垂木２０の側面２１に、中骨３０端部のブラケット４０が当接するようになっており、ブラケット４０の突起部４４が垂木２０の側孔２２に嵌合し、ブラケット４０の弾性脚部４７が垂木２０の受け部２３に係止されることとなっている。
【００５１】
更に詳しく説明する。図１０は、図９（ｂ）におけるブラケット付近の部分拡大図である。この図が示すように、ブラケット４０の突起部４４は、垂木２０の側孔２２に嵌合し、垂木２０の側壁を貫通するようになっている。このため、中骨３０の取付位置の位置決めが容易にできるとともに、中骨３０を垂木２０に固定できるようになっている。
【００５２】
また、この図１０が示すように、ブラケット４０の弾性鍔部４６は、鍔部４２よりも垂木２０の側面２１側に突出しているため、この弾性鍔部４６が垂木２０の側面２１に当接するようになっている。そして、この弾性鍔部４６は、上記したように、ブラケット４０が垂木２０の側面２１と圧接していることによって弾性変形しており、弾性変形したときの反発力で、ブラケット４０自身を、垂木２０の側面２１と反対の方向へ付勢している。
【００５３】
また、図１０が示すように、弾性鍔部４６の下端から斜め下方へ弾性脚部４７が突出形成されており、この弾性脚部４７が、垂木２０の側面２１の下端に略水平方向に延出形成された受け部２３に係止されるようになっている。すなわち、垂木２０の側面２１の小突縁２４の上面に、ブラケット４０の戴置部４８が載置されるようになっており、このとき、突張部４９が、垂木２０の溝部２６の中に入り込んで、立設部２７の内壁に突っ張るように固定されるようになっている。
【００５４】
このため、図１０に示すように、ブラケット４０の弾性鍔部４６及び弾性脚部４７は、垂木２０の側面２１と立設部２７の内壁との間に挟まれるように固定されるようになっている。このとき、弾性鍔部４６は、自らの弾性反発によって垂木２０の側面２１とは逆方向に自らを付勢し、一方、弾性脚部４７は、自らの弾性反発によって垂木２０の側面２１方向に自らを付勢するようになっている。このため、ブラケット４０は、弾性鍔部４６と弾性脚部４７とで両側から突っ張る構造となっており、しっかりと垂木２０に固定されている。このため、弾性脚部４７が溝部２６から抜けることがなく、中骨３０の回転や落下を確実に防止することができるようになっている。
【００５５】
しかも、図９に示すように、弾性鍔部４６及び弾性脚部４７は、額縁部４３の両側に張り出すように設けられている。このため、中骨３０よりも幅広の部材で中骨３０を支えることができ、安定して中骨３０を取り付けることができる。このため、太い中骨３０を用いなくても中骨３０の回転や落下を確実に防止することができる。しかも、この弾性鍔部４６及び弾性脚部４７は、垂木２０の受け部２３に収まるように設けられているため、下から見えないようになっている。このため、ブラケット４０及びブラケット４０の取付構造は露見しないようになっており、外観が簡素化されて意匠性の高い簡易屋根１０を提供できるものとなっている。
【００５６】
以上のように、本実施形態によれば、ブラケット４０で中骨３０と垂木２０とを固定するようにしたため、中骨３０の両端に固定のための特別な加工を施す必要がなく、加工を簡素化することができるようになっている。
【００５７】
また、中骨３０の取付は、ブラケット４０の突起部４４を垂木２０の側面２１に設けられた側孔２２に嵌合するとともに、ブラケット４０の弾性脚部４７を垂木２０に設けられた受け部２３に係止するだけで良く、ビスなどを使用することなく容易に取り付けることができるととともに、位置決めも容易なものとなっている。
【００５８】
しかも、ブラケット４０は、弾性鍔部４６と弾性脚部４７と突っ張る構造としたため、ブラケット４０がしっかりと垂木２０に固定され、垂木２０間の距離が設計よりも離れてしまった場合においても、中骨３０の回転や落下を確実に防止することができるようになっている。
【符号の説明】
【００５９】
１０  簡易屋根
１１  支柱
１２  桁
１３  垂木掛け
１４  パネル
２０  垂木
２１  側面
２２  側孔
２３  受け部（被係止部）
２４  小突縁
２５  突縁
２６  溝部
２７  立設部
３０  中骨
３１  開口部
３２  あり溝
４０  ブラケット
４１  挿入部
４２  鍔部
４３  額縁部
４４  突起部
４５  支持板
４６  弾性鍔部
４７  弾性脚部
４８  戴置部
４９  突張部
【図１】
0005406078.tif 000002
【図２】
0005406078.tif 000003
【図３】
0005406078.tif 000004
【図４】
0005406078.tif 000005
【図５】
0005406078.tif 000006
【図６】
0005406078.tif 000007
【図７】
0005406078.tif 000008
【図８】
0005406078.tif 000009
【図９】
0005406078.tif 000010
【図１０】
0005406078.tif 000011